(57)【要約】【課題】  原稿載置台面に原稿を押圧する圧板（原稿押圧部材）を、原稿読取装置本体に対して着脱可能に構成することにより、圧板破損時等の部品交換に際して低コスト対応を可能とし、さらに交換作業も容易に行えるようにして、サービス性（操作性）を改善・向上する。【解決手段】  圧板３０を取り付ける際は、先ず、圧板３０を装着していない状態のＡＤＦ（図示せず）を開放し、白色シート２５および黒色シート２８の各端部を主走査スケール突き当て基準２１と副走査スケール突き当て基準２２とに突き合わせた状態を透明シート２７越しに確認しながら、コンタクトガラス５上に設置した後、ＡＤＦを閉じる。ＡＤＦを閉じることにより、各マジックテープ（登録商標）２９，３７が噛み合い、圧板３０はＡＤＦベースの裏面に固定・装着される。【選択図】図６
2006311334.tif 000002
【特許請求の範囲】
【請求項１】
原稿を載置する原稿載置台と、該原稿の画像を読み取る走査光学系を有する原稿読取手段と、上記原稿載置台面に上記原稿を押圧する原稿押圧部材とを具備する原稿読取装置において、
上記原稿押圧部材を、上記原稿読取装置本体に対して着脱可能に構成したことを特徴とする原稿読取装置。
【請求項２】
上記原稿押圧部材とともに上記原稿載置台面に上記原稿を押圧する原稿押圧手段を有し、
上記原稿押圧部材は、少なくとも上記原稿押圧手段の一部を構成していることを特徴とする請求項１記載の原稿読取装置。
【請求項３】
上記着脱可能な原稿押圧部材は、表裏面を備えており、
上記着脱可能な原稿押圧部材は、上記原稿載置台面に対して、上記表裏面の何れを対向させても上記原稿読取装置本体に装着されることを特徴とする請求項１または２記載の原稿読取装置。
【請求項４】
上記着脱可能な原稿押圧部材は、少なくとも、上記表面が上記原稿を押さえる原稿押さえ面を備えた第１のシート部材と、上記裏面が該原稿押さえ面を備えた第２のシート部材と、第１のシート部材と第２のシート部材との間に設けられた弾性部材と、上記原稿押さえ面に使用する第１および第２のシート部材以外の第３のシート部材とで構成されることを特徴とする請求項３記載の原稿読取装置。
【請求項５】
第３のシート部材の少なくとも一部は、上記原稿押さえ面より大きく構成されていることを特徴とする請求項４記載の原稿読取装置。
【請求項６】
第３のシート部材は、透明なシート部材であることを特徴とする請求項４または５記載の原稿読取装置。
【請求項７】
第３のシート部材は、上記原稿押さえ面となる上記表裏面に設置される第１および第２のシート部材に対し、その厚さ方向でほぼ中間となる位置に、上記弾性部材に挟まれて構成されていることを特徴とする請求項４ないし６の何れか一つに記載の原稿読取装置。
【請求項８】
第１のシート部材は、白色系から、第２のシート部材は、黒色系からそれぞれなることを特徴とする請求項４ないし７の何れか一つに記載の原稿読取装置。
【請求項９】
上記原稿押圧部材を上記原稿読取装置本体に対して着脱可能とする着脱手段が、マジックテープ（登録商標）であることを特徴とする請求項２ないし８の何れか一つに記載の原稿読取装置。
【請求項１０】
上記原稿読取装置本体側には、上記原稿載置台に対して開閉可能に自動原稿搬送手段が設けられており、
上記着脱可能な原稿押圧部材は、自動原稿搬送手段の上記原稿載置台面に対向する部位に着脱可能に配置されていることを特徴とする請求項１ないし９の何れか一つに記載の原稿読取装置。
【請求項１１】
請求項１ないし１０の何れか一つに記載の原稿読取装置と、該原稿読取装置で読み取られた原稿の画像をシート状記録媒体に形成する画像形成手段とを具備することを特徴とする画像形成装置。
【発明の詳細な説明】
【技術分野】
【０００１】
本発明は、原稿読取装置および画像形成装置に関し、さらに詳しくは、複写機、ファクシミリ、プリンタ、プロッタ、孔版印刷装置等を含む印刷装置またはそれら複数の機能を備えた複合機等の画像形成装置に搭載される原稿読取装置、スキャナ等の画像読取装置を含む原稿読取装置、これらの原稿読取装置に配設される原稿押さえ用の圧板に関する。
【背景技術】
【０００２】
従来、複写機、ファクシミリ、プリンタ、プロッタ、孔版印刷装置等を含む印刷装置またはそれら複数の機能を備えた複合機等の画像形成装置に搭載される原稿読取装置、スキャナ等の画像読取装置を含む原稿読取装置において、コンタクトガラス等の原稿載置台に原稿を押圧する原稿押さえ用の圧板や、この圧板を備えた自動原稿搬送装置を有するものが知られている（例えば、特許文献１ないし５参照）。
例えば特開平８−１９５８５２号公報には、圧板の構成に関する記載がされており、重量物であるＡＤＦ構造体と分離し、圧板部を独立して構成させたことを特徴としている。
【０００３】
【特許文献１】特開平８−１９５８５２号公報
【特許文献２】特開平８−２３４３３０号公報
【特許文献３】特開平９−２４４１６１号公報
【特許文献４】特許第２６５２０２１号公報
【特許文献５】特開平６−２２２４７９号公報
【発明の開示】
【発明が解決しようとする課題】
【０００４】
従来、スキャナ等の画像読取装置や原稿読取装置においては、入力画像の処理において、読み取り時の背景が淡色系（白色系）で通常使用される場合と、濃色系（黒色系）を要求される場合とがあった。
その特徴としては、図８に示すように、白色背景であれば、主要原稿２０である白色の用紙を指定サイズで読み取る際に、用紙端部あるいは穴明き原稿等の穴の周囲の影の影響を受けずに走査することが可能であり、また黒色背景であれば、用紙の端部と背景の色が明らかに異なるため 画像サイズの認識が可能となる。背景板なしで読み取りした際には、用紙端部や穴明き原稿等の穴の周囲の影の影響を受けることとなる。
従来機に関しては、ほとんどの背景は白色であったため、黒色背景を必要とするユーザには別途黒色の背景部材を用意し、白色のものと取り替えて使用することが主であり、サービス性（操作性）が良くなかった。
そこで、本発明は、原稿載置台面に原稿を押圧する原稿押圧部材（圧板）を、原稿読取装置本体に対して着脱可能に構成することにより、原稿押圧部材破損時等の部品交換に際して低コスト対応を可能とし、さらに交換作業も容易に行えるようにすること、つまりサービス性（操作性）を改善・向上することを主な目的とする。その他、後述する効果を奏することも目的としている。
【課題を解決するための手段】
【０００５】
上述した課題を解決するとともに上述した目的を達成するために、各請求項ごとの発明では、以下のような特徴ある手段・発明特定事項（以下、「構成」という）を採っている。
請求項１記載の発明は、原稿を載置する原稿載置台と、該原稿の画像を読み取る走査光学系を有する原稿読取手段と、上記原稿載置台面に上記原稿を押圧する原稿押圧部材とを具備する原稿読取装置において、上記原稿押圧部材を、上記原稿読取装置本体に対して着脱可能に構成したことを特徴とする。
【０００６】
請求項２記載の発明は、請求項１記載の原稿読取装置において、上記原稿押圧部材とともに上記原稿載置台面に上記原稿を押圧する原稿押圧手段を有し、上記原稿押圧部材は、少なくとも上記原稿押圧手段の一部を構成していることを特徴とする。
【０００７】
請求項３記載の発明は、請求項１または２記載の原稿読取装置において、上記着脱可能な原稿押圧部材は、表裏面を備えており、上記着脱可能な原稿押圧部材は、上記原稿載置台面に対して、上記表裏面の何れを対向させても上記原稿読取装置本体に装着されることを特徴とする。
【０００８】
請求項４記載の発明は、請求項３記載の原稿読取装置において、上記着脱可能な原稿押圧部材は、少なくとも、上記表面が上記原稿を押さえる原稿押さえ面を備えた第１のシート部材と、上記裏面が該原稿押さえ面を備えた第２のシート部材と、第１のシート部材と第２のシート部材との間に設けられた弾性部材と、上記原稿押さえ面に使用する第１および第２のシート部材以外の第３のシート部材とで構成されることを特徴とする。
【０００９】
請求項５記載の発明は、請求項４記載の原稿読取装置において、第３のシート部材の少なくとも一部は、上記原稿押さえ面より大きく構成されていることを特徴とする。
【００１０】
請求項６記載の発明は、請求項４または５記載の原稿読取装置において、第３のシート部材は、透明なシート部材であることを特徴とする。
【００１１】
請求項７記載の発明は、請求項４ないし６の何れか一つに記載の原稿読取装置において、第３のシート部材は、上記原稿押さえ面となる上記表裏面に設置される第１および第２のシート部材に対し、その厚さ方向でほぼ中間となる位置に、上記弾性部材に挟まれて構成されていることを特徴とする。
【００１２】
請求項８記載の発明は、請求項４ないし７の何れか一つに記載の原稿読取装置において、第１のシート部材は、白色系から、第２のシート部材は、黒色系からそれぞれなることを特徴とする。
【００１３】
請求項９記載の発明は、請求項２ないし８の何れか一つに記載の原稿読取装置において、上記原稿押圧部材を上記原稿読取装置本体に対して着脱可能とする着脱手段が、マジックテープ（登録商標）であることを特徴とする。
【００１４】
請求項１０記載の発明は、請求項１ないし９の何れか一つに記載の原稿読取装置において、上記原稿読取装置本体側には、上記原稿載置台に対して開閉可能に自動原稿搬送手段が設けられており、上記着脱可能な原稿押圧部材は、上記自動原稿搬送手段の上記原稿載置台面に対向する部位に着脱可能に配置されていることを特徴とする。
【００１５】
請求項１１記載の発明は、請求項１ないし１０の何れか一つに記載の原稿読取装置と、該原稿読取装置で読み取られた原稿の画像をシート状記録媒体に形成する画像形成手段とを具備することを特徴とする画像形成装置である。
【発明の効果】
【００１６】
本発明によれば、上記課題を解決して新規な原稿読取装置および画像形成装置を提供することができる。主な発明の効果を挙げれば、以下のとおりである。
本発明によれば、原稿押圧部材を原稿読取装置本体に対して着脱可能に構成したことにより、原稿押圧部材（例えば原稿押さえ用の圧板）の破損時等の部品交換に際しては、低コスト対応が可能であり、さらに交換作業も容易に行え、ひいてはサービス性（操作性）が向上する（請求項１）。
また、原稿押圧部材が、少なくとも原稿押圧手段の一部を構成している場合にも、上記と同様の効果を奏する（請求項２）。
さらに、原稿押圧部材が、少なくとも原稿押圧手段の一部を構成している場合であって、原稿押圧部材を原稿読取装置本体に対して着脱可能とする着脱手段が、マジックテープ（登録商標）である場合には、最も低コストで対応することが可能となる（請求項９）。
【００１７】
本発明によれば、着脱可能な原稿押圧部材は、原稿載置台面に対して、表裏面の何れを対向させても原稿読取装置本体に装着されることにより、従来のように片面のみの原稿押圧部材と比べて、倍の耐久性を確保できる（請求項３）。
【００１８】
本発明によれば、着脱可能な原稿押圧部材は、少なくとも、表面が原稿を押さえる原稿押さえ面を備えた第１のシート部材と、裏面が原稿押さえ面を備えた第２のシート部材と、第１のシート部材と第２のシート部材との間に設けられた弾性部材と、原稿押さえ面に使用する第１および第２のシート部材以外の第３のシート部材とで構成されることにより、第３のシート部材を利用して原稿読取装置本体に取り付けることが可能となる（請求項４）。
【００１９】
本発明によれば、第３のシート部材の少なくとも一部は、原稿押さえ面より大きく構成されていることにより、原稿読取装置本体への取付構造を原稿押え面の外部に設けることができるため、読み取り領域の縮小または装置の大型化を回避できる（請求項５）。
【００２０】
本発明によれば、第３のシート部材は、透明なシート部材であることにより、着脱可能な原稿押圧部材の取り付け時に、例えば取付基準である主走査および副走査スケールと原稿載置台（例えばコンタクトガラス）に対向して面している原稿押え面のシート端部が突き合わさった状態であることを透明なシート部材越しに確認することができるため、原稿押圧部材の取り付け時のズレ等の発生を防ぐことが可能となる（請求項６）。
【００２１】
本発明によれば、第３のシート部材は、原稿押さえ面となる表裏面に設置される第１および第２のシート部材に対し、その厚さ方向でほぼ中間となる位置に、弾性部材に挟まれて構成されていることにより、表裏どちらの面を原稿載置台（例えばコンタクトガラス）に対向させて取り付けた場合でも、原稿に対して同一の押圧力をかけることが可能となり、取り付けによる品質のバラツキを抑えられる（請求項７）。
【００２２】
本発明によれば、第１のシート部材は、白色系から、第２のシート部材は、黒色系からそれぞれなることにより、ユーザの要求・目的に合わせた容易な使用方法を提供でき、さらにサービス性（操作性）が向上する（請求項８）。
【００２３】
本発明によれば、原稿読取装置本体側に自動原稿搬送手段が設けられている場合において、上記各効果を奏する。（請求項１０）。
【００２４】
本発明によれば、原稿読取装置と画像形成手段とを具備する画像形成装置において、上記各効果を奏する（請求項１１）。
【発明を実施するための最良の形態】
【００２５】
以下、図を参照して、本発明を実施するための最良の形態および実施例を含む実施形態を説明する。実施形態および変形例等に亘り、同一の機能および形状等を有する部材や構成部品等の構成要素については、同一符号を付すことにより一度説明した後ではその説明をできるだけ省略する。図および説明の簡明化を図るため、図に表されるべき工程や情報あるいは構成要素であっても、その図において特別に説明する必要がないものは適宜断わりなく省略することがある。
【００２６】
（第１の実施形態）
まず、図１を参照して、本発明の第１の実施形態に係る原稿読取装置１の全体構成および動作を説明する。
原稿読取装置１は、同図に示すように、図示しない原稿を載置する透明な原稿載置台としてのコンタクトガラス５と、コンタクトガラス５上に載置された上記原稿の画像を読み取る走査光学系を備えた画像読取手段とを具備している。
コンタクトガラス５および走査光学系を備えた画像読取手段を構成する構成要素は、筺体状をなす原稿読取装置本体内に配設されている。
図１では、原稿載置台面としてのコンタクトガラス５の読取面に上記原稿を弾性的に押圧する原稿押圧部材としての圧板およびコンタクトガラス５に対して開閉可能に設けられる自動原稿搬送装置（以下、「ＡＤＦ」という）は、取り外した状態を示している。これらについては、後述する。
【００２７】
原稿読取装置１の走査光学系は、図１に示すように、図示しない原稿の画像面を照明する蛍光灯３、蛍光灯３からの照明光を反射して図示しない原稿の画像面に照射するリフレクタ４および図示しない結像レンズ等の結像素子およびＣＣＤ（電荷結合素子）等の光電変換素子からなる画像センサを一体に搭載したＣＣＤモジュール２と、その一端がＣＣＤモジュール２に取り付けられ、複数のワイヤプーリを介してワイヤプーリ８に巻き取られるワイヤ９と、ワイヤ９を巻き取る前記したワイヤプーリ８と、ワイヤプーリ８をタイミングベルト７を介して駆動する走査光学系駆動手段としての駆動モータ６と、ＣＣＤモジュール２を図中の左右方向である副走査方向に案内する案内手段としてのガイドレール１０とから主に構成されている。
【００２８】
駆動モータ６の駆動をタイミングベルト７を介してワイヤプーリ８に伝達し、ワイヤプーリ８によりワイヤ９が巻き取られることによって、ＣＣＤモジュール２はガイドレール１０に沿って、図中において左右方向(副走査方向)に走査移動しながら、原稿載置台面としてのコンタクトガラス５の読取面上に載置された原稿の画像面（原稿面）を、蛍光灯３およびリフレクタ４により照明・照射し、その反射光を図示しない結像レンズにて受像し、図示しない光電変換素子（ＣＣＤ）にてその画像情報を結像・電気信号に変換する。
この際、コンタクトガラス５上の原稿（図示せず）は主走査スケールの突き当て基準２１（以下、「主走査スケール突き当て基準２１」という）に端面を合わせた後、図２（ａ），（ｂ）に示す原稿押圧部材としての圧板３０により、コンタクトガラス５の読取面に上記原稿を弾性的に押圧することとなる。
【００２９】
図２（ａ），（ｂ）に示すように、本実施形態の圧板３０は、表裏面を備えていて、その表裏面に対応して白黒両面使用可能な構成であり、図４に示すように原稿読取装置本体側に配設されているＡＤＦ３５のコンタクトガラス５の読取面に対向する部位、すなわちＡＤＦ３５の裏面側に対して着脱可能に構成されていることを特徴としている。ＡＤＦ３５は、圧板３０とともに、コンタクトガラス５の読取面に図示しない原稿を弾性的に押圧する原稿押圧手段としての機能を有する。
同図に示すように、圧板３０は、その表面が上記原稿を押さえる原稿押さえ面（背景面）を備えた第１のシート部材としての白色系からなる白色シート２５と、裏面が原稿押さえ面（背景面）を備えた第２のシート部材としての黒色シート２８と、白色シート２５と黒色シート２８との間に設けられた弾性部材としての一対のクッション２６と、原稿押さえ面に使用する白色シート２５および黒色シート２８以外の機能を備えた第３のシート部材としての透明なシート部材２７（以下、「透明シート２７」という）とで主に構成される。なお、図２（ａ），（ｂ）において、クッション２６は所定の弾性力を得るため所定の厚さを有しているが、これを簡略的に示しシート状に描いている。
【００３０】
白色シート２５と黒色シート２８との間には、板状のクッション２６で透明シート２７をサンドイッチ状に挟み込むように配置し、それぞれを両面テープで貼り合わせ、圧板３０形状を形成している。従って、透明シート２７（第３のシート部材）は、原稿押さえ面となる表裏面に設置される白色シート２５および黒色シート２８（第１および第２のシート部材）に対し、その厚さ方向でほぼ中間となる位置に、２つのクッション２６（弾性部材）に挟まれて構成されている。
白色シート２５、透明シート２７および黒色シート２８の材料としては、要求される耐久性、強度および着色性能（但し、透明シート２７は除く）などを考慮して、例えば適宜の樹脂等が選択され用いられる。クッション２６は、例えばウレタンフォーム等の発泡材（発泡体）等が用いられる。
【００３１】
図２（ａ），（ｂ）において、符号２９は、マジックテープ（登録商標）（メス側）であり、透明シート２７の表裏両面に左右それぞれ３箇所ずつ、計１２個取り付けられている。透明シート２７の少なくとも一部である幅方向（原稿幅方向）の幅寸法は、原稿押さえ面である白色シート２５および黒色シート２８のそれより大きく・広く形成されていて、原稿押さえ面の外側で原稿読取装置本体（本実施形態では図４に示すＡＤＦ３５の裏面）に取り付ける構造となっている。
これは、原稿押さえ面の内側に固定手段を設けた場合は、本発明の構成上、裏表同様に固定する必要があるため その領域は圧板(背景板)としての機能がなくなることにより、読み取り可能領域を小さくなる、あるいは読み取り可能領域は変更しない場合は装置を大型化する必要があるためで、そのような不具合を回避するための対応である。
【００３２】
本実施形態では、図３に破線矢印で示すように、原稿読取装置１の上方に、自動原稿搬送手段としてのＡＤＦ３５を搭載している。ＡＤＦ３５は、原稿読取装置１のコンタクトガラス５に対して、同図において左後方に設置されている図示しない支点を中心に、原稿読取装置１のコンタクトガラス５に対して開閉・揺動自在に取り付けられている。原稿をコンタクトガラス５に載置する際には、ＡＤＦ３５を開放する。上記のとおり、ＡＤＦ３５は、コンタクトガラス５に対して開閉・揺動自在に筐体をなす原稿読取装置本体側に設けられている。
【００３３】
次に、ＡＤＦ３５の裏面に圧板３０を装着・セットする際の動作を説明する。
圧板３０は、図４に示すように、ＡＤＦベース３６の裏側に取り付けられているマジックテープ（登録商標）（オス側）３７にて、圧板３０側における透明シート２７に取り付けられたマジックテープ（登録商標）（メス側）２９を介して、着脱可能、かつ、表裏両面取付可能に設置されている。図４の状態は、圧板３０の白色シート２５を原稿押さえ面として取り付け・装着した状態を示している。
従って、マジックテープ（登録商標）２９およびマジックテープ（登録商標）３７は、圧板３０を原稿読取装置本体側のＡＤＦ３５に対して着脱可能とする着脱手段としての機能を有している。
上記のとおり、圧板３０は、着脱手段としてのマジックテープ（登録商標）２９およびマジックテープ（登録商標）３７を介して、コンタクトガラス５の読取面に対して、圧板３０の白色シート２５の原稿押さえ面および黒色シート２８の原稿押さえ面の何れを対向させても原稿読取装置本体側のＡＤＦ３５に装着されるように構成されている。
図５は、本実施形態のＡＤＦ３５を取り外した状態を示しており、コンタクトガラス５上に原稿を載置する際の基準は、主走査スケール突き当て基準２１および副走査スケールの突き当て基準２２（以下、「副走査スケール突き当て基準２２」という）であり、圧板３０を設置する際の基準も兼ねる。
【００３４】
圧板３０を取り付ける際は、先ず、圧板３０を装着していない状態のＡＤＦ３５を開放し、図６に示すように、白色シート２５（図６では圧板３０の最下面のため示されていない）および黒色シート２８の各端部を主走査スケール突き当て基準２１と副走査スケール突き当て基準２２とに突き合わせた状態を透明シート２７越しに確認しながら、コンタクトガラス５上に設置・セットした後、ＡＤＦ３５を静かに閉じる。ＡＤＦ３５を閉じることにより、各マジックテープ（登録商標）２９，３７が噛み合うことで係合し、圧板３０はＡＤＦベース３６に固定・装着されることとなる。この後、再度、ＡＤＦ３５を開放し、各マジックテープ（登録商標）２９，３７を指等で押さえて確実に固定させるとなお良い。
【００３５】
圧板３０の取付面に関しては、次のように行うと良い。すなわち、読み取り時の背景を白色で使用したい場合には、図６に示すように白色シート２５側をコンタクトガラス５に対向させて(黒色シート２８が手前に見える状態)設置し、読み取り時の背景を黒色で使用したい場合には、その逆で、黒色シート２８側をコンタクトガラス５に対向させて設置する。この時、透明シート２７は圧板３０の厚さ方向の中間位置に設置しているため、白色シート２５および黒色シート２８のどちらの面をコンタクトガラス５に対向させて設置した場合でも透明シート２７と原稿押さえ面となる白色(黒色)シート２５（２８）面との距離は同じであるため、原稿に対し同一の押圧力をかけることが可能となっている。
上述したとおり、本実施形態では、原稿押圧部材としての圧板３０は、コンタクトガラス５の読取面に図示しない原稿を弾性的に押圧する原稿押圧手段としてのＡＤＦ３５の一部を構成していると言える。
本実施形態によれば、以上のとおりであるから、上述した効果を奏することは明らかである。
【００３６】
本発明の実施形態は、第１の実施形態に限らず、ＡＤＦ３５は必須の構成ではなく無くても良い。このように構成が簡素で比較的低コストな原稿読取装置の場合では、圧板３０は、コンタクトガラス５の読取面に原稿を押圧するための原稿押圧手段としての、例えば図示しない圧板装着部材に着脱自在に装着されることになる。上記図示しない圧板装着部材は、通常、ＡＤＦ３５を搭載した場合とほぼ同様に、コンタクトガラス５に対して開閉可能に原稿読取装置本体側に設けられることとなる（これを「変形例１」とする）。
さらに構成が簡素で低コストな原稿読取装置の場合では、変形例１における原稿押圧手段としての圧板装着部材を除去するとともに、着脱手段としての各マジックテープ（登録商標）２９，３７を除去して、例えば実質的に圧板３０と同様の構成でこれよりもさらに強度向上を図った圧板を、ＡＤＦ３５の開閉中心と同部位に着脱可能かつ開閉可能に配設しても良い（これを「変形例２」とする）。
【００３７】
また、第１の実施形態に限らず、例えば白色背景だけを望むユーザに対しては、図２（ａ），（ｂ）に示した圧板３０を構成する黒色シート２８に代えて、白色シート２５を透明シート２７およびクッション２６を挟んで原稿押さえ面となる表裏両面に配置するように構成してもよい。同様に、例えば黒色背景だけを望むユーザに対しては、図２（ａ），（ｂ）に示した圧板３０を構成する白色シート２５に代えて、黒色シート２８を透明シート２７およびクッション２６を挟んで原稿押さえ面となる表裏両面に配置するように構成してもよい。
このように構成した場合でも、ユーザの要求・目的に合わせた容易な使用方法が提供できるとともに、従来のように片面のみの原稿押圧部材と比べて、倍の耐久性を確保できる。
【００３８】
（第２の実施形態）
図７に、第２の実施形態を示す。この第２の実施形態は、ＡＤＦ３５を搭載した原稿読取装置１を、画像形成装置の一例としてのカラー複写機に搭載したカラー両面複写機１００に関するものである。以下、カラー両面複写機１００の全体構成の概要とともに動作を説明する。
【００３９】
カラー両面複写機１００は、シート状記録媒体としての転写紙上の一方の面に画像形成を行った後（片面画像形成モード）に、その転写紙を表裏反転し、転写紙上の他方の面に画像形成を行う（両面画像形成モード）両面画像形成装置である。カラー両面複写機１００は、片面画像形成モード、両面画像形成モードの他、後述の厚紙モードや、単色モード（いわゆるモノクロ・モード）およびフルカラーモードを使用して動作可能となっている。
カラー両面複写機１００は、ＡＤＦ３５を搭載しカラースキャナ機能を有する原稿読取装置１、露光手段としての書き込み光学ユニット４０、像担持体としての感光体ドラム５０、感光体クリーニングユニット５４、除電ランプ５６、電位センサ６０、回転式現像装置６２、現像濃度パターン検知器６１、中間転写ベルト６７、定着装置８５および給紙バンク７５等を有している。
【００４０】
書き込み光学ユニット４０は、原稿読取装置１からのカラー画像データを光信号に変換して原稿画像に対応した光書き込みを行い、感光体ドラム５０上に静電潜像を形成する。書き込み光学ユニット４０は、レーザダイオード４１、ポリゴンミラー４２とその回転用モータ４３、ｆ／θレンズ４４や反射ミラー４５等により構成されている。
感光体ドラム５０は、矢印で示すように反時計回りに回転され、その周囲には、感光体クリーニングユニット５４、除電ランプ５６、電位センサ６０、回転式現像装置６２のうちの選択された現像器（図７では現像器６４）、現像濃度パターン検知器６１、中間転写ベルト６７等が配置されている。
回転式現像装置６２は、ブラック用現像器６３、シアン用現像器６４、マゼンタ用現像器６５、イエロー用現像器６６と、各現像器を回転させる図示しない回転駆動部を有している。各現像器は、静電潜像を可視像化するために、現像剤の穂を感光体ドラム５０の表面に接触させて回転する現像スリーブや、現像剤を汲み上げて攪拌するために回転する現像パドル等を有している。
【００４１】
待機状態では、回転式現像装置６２は、ブラック現像の位置にセットされており、コピー動作が開始されると、原稿読取装置１で所定のタイミングからブラック画像のデータの読み取りがスタートし、この画像データに基づいてレーザ光による光書き込み・静電潜像（ブラック潜像）の形成が始まる。
このブラック潜像の先端部から現像するために、ブラック用現像器６３の現像位置に潜像先端部が到達する前に、現像スリーブを回転開始してブラック潜像をブラックトナーで現像する。
そして、以後、ブラック潜像領域の現像動作を続けるが、潜像後端部がブラック現像位置を通過した時点で、速やかにブラックのための現像位置から次の色の現像位置まで、回転式現像装置６２が回転する。当該動作は、少なくとも、次の画像データによる潜像先端部が到達する前に完了させる。
【００４２】
像形成サイクルが開始されると、まず、感光体ドラム５０は矢印で示すように反時計回りに、中間転写ベルト６７は時計回りに、ギア列等の駆動伝達手段を介して駆動モータ（ともに図示せず、後述する図１７参照）によって回転される。中間転写ベルト６７の回転に伴って、１次転写コロナ放電器７１による転写を介して、ブラックトナー像形成、シアントナー像形成、マゼンタトナー像形成、イエロートナー像形成が行われ、最終的にブラック（Ｂｋ）、シアン（Ｃ）、マゼンタ（Ｍ）、イエロー（Ｙ）の順に、中間転写ベルト６７上に重ねられ、トナー像が形成される。
ここで、厚紙モードが設定されている場合、その他の転写紙使用時と比べて上記各駆動モータの回転速度は遅くなるように図示しない制御装置によって制御される。これとは逆に、モノクロモードが設定されている場合、例えばフルカラーモード時と比べて上記各駆動モータの回転速度は速くなるように図示しない制御装置によって制御される。
【００４３】
中間転写ベルト６７は、駆動ローラ６８、転写対向ローラ６９ａ、６９ｂ、クリーニング対向ローラ７０および従動ローラ群に張架されており、図示しない駆動モータにより駆動制御されるようになっている。
感光体ドラム５０に順次形成されるブラック、シアン、マゼンタ、イエローの各トナー像が中間転写ベルト６７上で正確に順次位置合わせされ、これによって４色重ねのベルト転写画像が形成される。このベルト転写画像は転写コロナ放電器７３により転写紙に一括転写される。
【００４４】
給紙バンク７５内の各記録紙カセット７６、７７、７８には装置本体内のカセット７９に収容された転写紙のサイズとは異なる各種サイズの転写紙が収容されており、これらのうち、指定されたサイズ紙の収容カセットから、該指定された転写紙が給紙コロ８０によってレジストローラ対８２方向に給紙・反転搬送される。図７において、符号８１はＯＨＰ転写紙や厚紙等のための手差し給紙トレイを示す。
像形成が開始される時期に、転写紙は上記いずれかのカセットの給紙口から給送され、レジストローラ対８２のニップ部で待機する。そして、転写コロナ放電器７３に中間転写ベルト６７上のトナー像の先端がさしかかるときに、丁度転写紙先端がこの像先端に一致するようにレジストローラ対８２が駆動され、転写紙と像のレジスト合わせが行われる。
【００４５】
このようにして、転写紙が中間転写ベルト６７と重ねられて、正電位につながれた転写コロナ放電器７３の上を通過する。このとき、コロナ放電電流で転写紙が正電荷で荷電され、トナー画像が転写紙に転写される。続いて、転写コロナ放電器７３の図上左側に配置された図示しない除電ブラシの箇所を通過するときに転写紙は除電され、中間転写ベルト６７から剥離されて紙搬送ベルト８３に移る。
中間転写ベルト６７から４色重ねトナー像を一括転写された転写紙は、紙搬送ベルト８３により内部加熱方式の定着装置８５へ搬送され、この定着装置８５で熱と圧力によりトナー像を定着される。定着を終えた転写紙は、定着装置８５と排出ローラ対８８との間の転写紙排出路に設けられた実線で示す通路切換部材８９上を通過し、排出ローラ対８８の正転により機外へ排出され、図示しないトレイにスタックされる。これにより、フルカラーコピーが得られる。
上述したとおり、原稿読取装置１で読み取られた原稿の画像を転写紙に形成する画像形成手段は、書き込み光学ユニット４０、像担持体としての感光体ドラム５０、感光体クリーニングユニット５４、除電ランプ５６、電位センサ６０、回転式現像装置６２、現像濃度パターン検知器６１、中間転写ベルト６７、１次転写コロナ放電器７１および２次転写コロナ放電器７３から主に構成される。
【００４６】
単色モードの場合には、所定枚数が終了するまでの間、その色の現像器のみを現像作動状態にして、中間転写ベルト６７は、感光体ドラム５０の面に接触したまま往動方向に一定速度で駆動したままの状態でコピー動作が行われる。
両面コピーの場合には、次のように行われる。まず、上述したように転写紙上の一方の面（表面）に、単色ないし４色画像形成のうちの何れか一つの画像形成を行い、その未定着画像を順次定着装置８５によって熱定着する。一方の面に定着画像が形成された転写紙は、その後端部近傍部分が排出ローラ対８８を通過したとき、排出ローラ対８８が一旦停止された後、直ちに排出ローラ対８８が逆転することにより、今度は転写紙の後端側を先端とするいわゆるスイッチバック方式によって、再び装置本体内へ導入される。
このとき、通路切換部材８９は図示しないソレノイド等の駆動手段により、導入ローラ対９０の間に転写紙を案内する位置に変位する。これにより、一方の面に定着画像が形成された図中二点鎖線で示す転写紙Ｐａは、複数の搬送ローラ等の転写紙搬送部材が配置された搬送路９１へ送り込まれ、転写紙Ｐａにおける一方の面が上向きになってカセット７９内に積載・収容される。
【００４７】
転写紙Ｐａの所定枚数分のカセット７９内への収容が終了すると、転写紙Ｐａ上の他方の面（裏面）に、単色ないし４色画像形成のうちの何れか一つの画像形成を行うべく、一方の面が上向きになった転写紙は給紙コロ８０によってレジストローラ対８２方向に給紙・反転搬送され、画像の形成されていない他方の面が上向きになってその他方の面に単色ないし４色画像形成のうちの何れか一つの画像形成を行い、その後に、再び定着装置８５で熱と圧力によりトナー像を定着される。定着を終えた両面に画像を形成された転写紙は、再び実線で示す位置に変位した通路切換部材８９上を通過し、排出ローラ対８８の正転により機外へ排出され、図示しないトレイにスタックされる。これにより、単色ないし４色画像形成のうちの何れか一つの画像が両面に形成された両面コピーが得られる。
本実施形態によれば、以上のとおりであるから、上述した効果を奏することは明らかである。
【００４８】
本発明は、第２の実施形態に限らず、本発明に係る原稿読取装置（上記第１の実施形態やその変形例等）を、プリンタ、複写機、ファクシミリ、プロッタ、孔版印刷装置等を含む印刷装置またはそれら複数の機能を備えた複合機等の画像形成装置に搭載した実施形態であっても良い。
一例を挙げると、例えば特開２００３−２１１８１３号公報の図１等に示されている孔版印刷装置（１）に搭載されている原稿読取装置としての原稿読取部（７）に代えて、例えば本発明の第１の実施形態における圧板３０を着脱可能に装着したＡＤＦ３５を搭載した原稿読取装置１を用いることにより、上述の利点や効果を奏することは言うまでもない。
【００４９】
以上述べたとおり、本発明を特定の実施形態や変形例等について説明したが、本発明が開示する技術的範囲は、上述した実施形態や変形例等に例示されているものに限定されるものではなく、それらを適宜組み合わせて構成してもよく、本発明の範囲内において、その必要性および用途等に応じて種々の実施形態や変形例あるいは実施例を構成し得ることは当業者ならば明らかである。
【図面の簡単な説明】
【００５０】
【図１】本発明の第１の実施形態を示す原稿読取装置の概略的な構成図である。
【図２】（ａ）は、第１の実施形態に係る圧板の構成を示す分解斜視図、（ｂ）は、圧板組み付け後の状態を示す要部の斜視図である。
【図３】第１の実施形態に係る原稿読取装置にＡＤＦを搭載した状態を示す斜視図である。
【図４】図３に示したＡＤＦの裏面側要部の斜視図である。
【図５】第１の実施形態に係る原稿読取装置からＡＤＦを取り外した状態を示す斜視図である。
【図６】第１の実施形態に係る原稿読取装置からＡＤＦを取り外した状態において、圧板を同ＡＤＦに装着・取り付けする際の操作を説明する斜視図である。
【図７】本発明の第２の実施形態を示すカラー両面複写機の概略的な全体構成図である。
【図８】従来の問題点を説明するための図である。
【符号の説明】
【００５１】
１    原稿読取装置
２    ＣＣＤモジュール（走査光学系の構成要素）
３    蛍光灯（走査光学系の構成要素）
５    コンタクトガラス（原稿載置台）
２０  原稿
２１  主走査スケール突き当て基準
２２  副走査スケール突き当て基準
２５  白色シート（第１のシート部材）
２６  クッション（弾性部材）
２７  透明シート（第３のシート部材）
２８  黒色シート（第２のシート部材）
２９  マジックテープ（登録商標）のメス側（着脱手段の構成要素）
３０  圧板（原稿押圧部材）
５０  ＡＤＦ（自動原稿搬送手段、原稿押圧手段）
５１  ＡＤＦベース
５２  マジックテープ（登録商標）のオス側（着脱手段の構成要素）
１００  カラー両面複写機１００（画像形成装置の一例）
【図１】
2006311334.tif 000003
【図２】
2006311334.tif 000004
【図３】
2006311334.tif 000005
【図４】
2006311334.tif 000006
【図５】
2006311334.tif 000007
【図６】
2006311334.tif 000008
【図７】
2006311334.tif 000009
【図８】
2006311334.tif 000010